(57)【特許請求の範囲】
【請求項１】
接地基礎体の上面部の複数個所にアンカースクリュー取付穴を形成するとともに、前記アンカースクリュー取付穴にアンカースクリューを嵌入し、
導電性被覆導電線を、前記接地基礎体の上面部、且つ、前記アンカースクリュー取付穴に沿って敷設し、
導電性保持部材を、前記導電性被覆導電線の全体を覆うように配置し、
セットボルトを、前記導電性保持部材の網目やパンチ孔に挿通し、且つ、前記アンカースクリューに螺合させることによって、前記導電性保持部材を、前記導電性被覆導電線を覆うように前記接地基礎体の上面部に取り付け、
また、前記導電性被覆導電線及び前記導電性保持部材を、導電性コンクリートにより被覆し、
更に、前記導電性コンクリートを、モルタルにより被覆するようにして構成した
ことを特徴とするアース装置。
【発明の詳細な説明】
【技術分野】
【０００１】
本発明は、コンクリート体や岩塊等の接地基礎体に設置されるアース装置に関するものである。
【背景技術】
【０００２】
従来、電気機器等のアース装置は、敷地内の空地個所部分に、長尺の導電性の金属材からなるアース棒を大地に打設し、該打設されたアース棒をアース装置として使用していた。従来のこのようなアース装置は、一例として、特許文献１に開示されている。
【先行技術文献】
【特許文献】
【０００３】
【特許文献１】特開平５−１８２７０１号公報
【発明の概要】
【発明が解決しようとする課題】
【０００４】
ところで、高層建造物に設置された電気機器にアース装置を施すためには、従来は、高層建造物の電気機器等を有する設置個所から地上まで、アース線を引き下ろすとともに、アース装置まで、長尺のアース線を引き回すことになり、従って、アース装置の設置作業に、手間と時間がかかるとともに、アース装置の維持管理が煩雑になるという問題があった。
【０００５】
また、従来のアース装置においては、アース棒を打設するにあたり、予め、アース棒を打設する個所及びその周辺の大地の埋設状況の確認を行い、支障のないことを確認した後に、アース装置の施工工事をする必要があり、アース装置の施工に、更なる手間と時間がかかるという問題があった。
【０００６】
更に、アース棒の打設において、大地の比抵抗が大きく、所定の接地抵抗が得られないことがあり、更なるアース棒の打設の追加、即ち、複数本のアース棒の打設が必要となり、従って、アース装置の施工に、なお更なる手間と時間がかかるという問題があった。
【０００７】
更にまた、通信等の通信所の設置は、高所設置個所が多く、必ずしも良条件の場所とは限らず、山頂や山腹の岩塊の上や岩塊に囲まれた近傍に設置することもある。このような場合にも、従来は、通信所の周辺に、接地装置を施すことが困難であるので、遠方まで長尺のアース線を引き回すことになり、従って、アース装置の設置作業に、手間と時間がかかるとともに、アース装置の維持管理が煩雑になるという問題があった。
【０００８】
本発明の目的は、上述した従来のアース装置が、有する課題を解決することにある。
【課題を解決するための手段】
【０００９】  本発明は、上述した目的を達成するために、接地基礎体の上面部の複数個所にアンカースクリュー取付穴を形成するとともに、前記アンカースクリュー取付穴にアンカースクリューを嵌入し、導電性被覆導電線を、前記接地基礎体の上面部、且つ、前記アンカースクリュー取付穴に沿って敷設し、導電性保持部材を、前記導電性被覆導電線の全体を覆うように配置し、セットボルトを、前記導電性保持部材の網目やパンチ孔に挿通し、且つ、前記アンカースクリューに螺合させることによって、前記導電性保持部材を、前記導電性被覆導電線を覆うように前記接地基礎体の上面部に取り付け、また、前記導電性被覆導電線及び前記導電性保持部材を、導電性コンクリートにより被覆し、更に、前記導電性コンクリートを、モルタルにより被覆するようにしてアース装置を構成したものである。
【発明の効果】
【００１０】
本発明は、上述した構成を有しているので、以下に記載する効果を奏することができる。
【００１１】
アース装置を、接地基礎体に配置された導電性被覆導電線が、取付部材を介して、導電性保持部材により覆われるように構成するとともに、前記導電性被覆導電線及び前記導電性保持部材を、導電性コンクリート及びモルタルとにより覆うように構成したので、導電性被覆導電線が、接地基礎体に密接的に接合されることになるので、長期間安定した低接地抵抗を得ることができる。
【００１２】
また、アース装置を、接地基礎体に配置された導電性被覆導電線が、取付部材を介して、導電性保持部材により覆われるように構成するとともに、前記導電性被覆導電線及び前記導電性保持部材を、導電性コンクリート及びモルタルとにより覆うように構成したので、接地基礎体の表面部に雨水が侵入し、アース装置を構成する導電性被覆導電線と接地基礎体との接合に悪影響を及ぼすことを防止することができる。
【００１３】
更に、アース装置を、接地基礎体に配置された導電性被覆導電線が、取付部材を介して、導電性保持部材により覆われるように構成するとともに、前記導電性被覆導電線及び前記導電性保持部材を、導電性コンクリート及びモルタルとにより覆うようにしたので、アース装置の防水機能を向上することができる。
【図面の簡単な説明】
【００１４】
【図１】図１は、一部構成部材が省略された本発明のアース装置を構成する一部断面図を含む拡大斜視図である。
【図２】図２は、図１のＡ−Ａに沿った垂直断面図である。
【図３】図３は、本発明のアース装置の垂直断面図である。
【図４】図４は、本発明のアース装置を構成する導電性保持部材の一部の切欠きを含む平面図である。
【実施例】
【００１５】
以下に、本発明の実施例について説明するが、本発明の趣旨を越えない限り、何ら、本実施例に限定されるものではない。
【００１６】
１は、コンクリート体や岩塊等の接地基礎体であり、１ａは、接地基礎体１
の上面部である。
【００１７】
次に、アース装置を構成する部材について説明する。
【００１８】
２は、取付部材であり、取付部材２は、アンカースクリュー２ａとセットボルト２ｂとから構成されている。１ｂ は、接地基礎体１の上面部１ａの所要の複数箇所に配置されたアンカースクリュー取付穴であり、アンカースクリュー取付穴１ｂには、取付部材２を構成するアンカースクリュー２ａが嵌入されることになる。
【００１９】
３は、コンクリート体や岩塊等の接地基礎体１の上面部１ａに設置された導電性被覆導電線であり、導電性被覆導電線３は、中心部に導電性金属線３ａを有し、導電性金属線３ａは、ブラスチックに導電性カーボンブラック粉
末や導電性金属粉末が混合された導電性プラスチック３ｂにより被覆されている。
【００２０】
４は、接地線であり、接地線４は、中心部に配置された金属導電線４ａと、金属導電線４ａを被覆するように配置された絶縁外被４ｂとにより構成されている。略水平状に配置された導電性被覆導電線３と略垂直に配置される接地線４とは、接地線４の金属導電線４ａと導電性被覆導電線３の導電性金属線３ａとを接続するとともに、接続部分に、公知のように、防水処理を施すことにより接続されている。このようにして、導電性被覆導電線３が、接地線４を介して、電気機器等のアース端子に接続されることになる。
【００２１】
５は、導電性保持部材であり、導電性保持部材５は、銅材等からなる導電性金属線５ａを網状に製織した網状体として構成されている。なお、網状体に代えて、導電性のパンチングメタル板として構成することもできる。このような網状体やパンチングメタル板を、適当な長さや幅や重量に切断して、導電性保持部材５を製造することもできる。
【００２２】
６は、導電性コンクリートであり、導電性コンクリート６は、セメントに、導電性カーポンブラック粉末を配合した導電性セメントに、水を加えて製造される。なお、導電性コンクリート６は、水を少なめに配合した、パサパサ状の半練り状の状態のものであってもよい。
【００２３】
７は、モルタルであり、セメントに、砂又は砂利を、水で混練したものであり、また、８は、ケイ酸ナトリウム水溶液（水ガラス）である。
【００２４】
次に、アース装置を構成する部材の施工順序等について、より具体的に説明する。
【００２５】
上述したように、コンクリート体や岩塊等の接地基礎体１の上面部１ａに、予め、計算された接地面積を有する設置面の所要の複数個所に、アンカースクリュー取付穴１ｂを形成する。アンカースクリュー取付穴１ｂの直径及び深さは、取付部材２のアンカースクリュー２ａが嵌入され取着されるような大きさに形成されている。
【００２６】
次に、アンカースクリュー取付穴１ｂに、アンカースクリュー２ａを嵌入する。本実施例には、設置される導電性被覆導電線３の長手方向に沿って、３個のアンカー２ａが設置されている例が示されている。導電性被覆導電線３の両端部付近に設置されたアンカースクリュー２ａは、導電性被覆導電線３の長手方向に沿って、導電性被覆導電線３の同じ周面側に位置するように設置されており、また、導電性被覆導電線３の中央部に設置されたアンカースクリュー２ａは、導電性被覆導電線３の両端部付近に設置されたアンカースクリュー２ａが位置する導電性被覆導電線３の周面側と対向する周面側に位置するように設置されている。このように構成することにより、導電性被覆導電線３の両端部付近に設置されたアンカースクリュー２ａと導電性被覆導電線３の中央部に設置されたアンカースクリュー２ａとを、導電性被覆導電線３の長手方向に対して、垂直な方向から見た場合に、導電性被覆導電線３の両端部付近に設置されたアンカースクリュー２ａと導電性被覆導電線３の中央部に設置されたアンカースクリュー２ａとの間には、導電性被覆導電線３が敷設される所定の間隔Ｄ１が形成されることになる。この間隔Ｄ１に位置する接地基礎体１の上面部１ａに、導電性被覆導電線３を敷設するとともに、導電性被覆導電線３を所望の長さに切断し、切断された導電性被覆導電線３の切断端部には、公知のように、適宜、防水処理を施す。更に、導電性被覆導電線３の両端部付近に設置されたアンカースクリュー２ａに対向するように、適宜、別のアンカースクリュー２ａを配置することも、また、導電性被覆導電線３の中央部に設置されたアンカースクリュー２ａに対向するように、適宜、別のアンカースクリュー２ａを配置することもでき、このように、アンカースクリュー２ａの数を増やすことにより、アース装置の強度を増加することができる。
【００２７】
また、導電性被覆導電線３のもう一方の端部には、上述したように、接地線４が接続されており、導電性被覆導電線３と接地線４との接続部分には、公知のように、防水処理が施されることになる。
【００２８】
次に、導電性保持部材５を、接地基礎体１の上面部１ａに敷設された導電性被覆導電線３の全体が覆われるように配置し、次いで、導電性保持部材５の網目やパンチ孔に、セットボルト２ｂを挿通し、その後、コンクリート体や岩塊等の接地基礎体１の上面部１ａに形成されたアンカースクリュー取付穴１ｂに嵌入され取着されたアンカースクリュー２ａに、セットボルト２ｂを螺合させることにより、導電性保持部材５を、導電性被覆導電線３を覆うように、接地基礎体１の上面部１ａに取り付ける。
【００２９】
その後、接地基礎体１に取り付けられた導電性被覆導電線３及び導電性保持部材５を、導電性コンクリート６により被覆し、更に、導電性コンクリート６が、ある程度乾燥した後、導電性コンクリート６を、半練り状態のモルタル７にて被覆する。更にまた、モルタル７が乾燥した後、必要に応じて、モルタル７全体にケイ酸ナトリウム水溶液（水ガラス）８を塗布する。ケイ酸ナトリウム水溶液（水ガラス）８を、モルタル７の表面に塗布することにより、アース装置の防水効果を増加することができるとともに、モルタル７のひび割れを防止し、アース装置の耐久性を向上することができる。
【００３０】
上述したように、接地基礎体１に設置され、且つ、接地線４に接続された導電性被覆銅電線３を覆うように、導電性保持部材５が配設され、また、導電性保持部材５を、取付部材２により、接地基礎体１に取着することにより、アース装置が、接地基礎体１に設置されることになる。
【００３１】
上述したように、コンクリート体や岩塊等の接地基礎体１に配置された導電性被覆導電線３を、導電性保持部材５を介して、取付部材２により、接地基礎体１に取り付けるように構成したので、経時的或いは地震等による、接地基礎体１と導電性被覆導電線３との密着性を損なうことを防止でき、従って、アース装置の信頼性が向上する。
【００３２】
なお、図１及び図２においては、図３に示されているような、本発明のアース装置を構成するモルタル７が省略されているとともに、必要に応じて配設されるケイ酸ナトリウム水溶液（水ガラス）８が省略されている。
【符号の説明】
【００３３】
１・・・・・・・接地基礎体
２・・・・・・・取付部材
３・・・・・・・導電性被覆導電線
４・・・・・・・接地線
５・・・・・・・導電性保持部材
６・・・・・・・導電性コンクリート
７・・・・・・・モルタル
【図１】
0005645006.tif 000002
【図２】
0005645006.tif 000003
【図３】
0005645006.tif 000004
【図４】
0005645006.tif 000005